(57)【要約】【課題】円筒形火消し部への灰や煙草の葉の詰まりをなくし、短時間に確実に煙草の火を消火することが出来る煙草消火装置付き灰皿を提供すること。【解決手段】本考案による消火装置付き灰皿１は、円筒形火消し部６に煙草を一本差込んで、酸欠消火させる煙草消火装置付き灰皿である。前記円筒形火消し部６は長手方向に分割された二半割部分６ａ、６ｂから成っており、一方の半割部分６ｂは灰皿本体３に固定され、他方の半割部分６ａは前記固定半割部分６ｂに対して係合及び離合するように可動である。該可動半割部６ａを前記固定半割部６ｂに対して係合状態に保持する付勢手段７が設けられている。付勢手段７の力に抗して前記可動半割部６ａを前記固定半割部６ｂから離合させるための押しボタン５が設けられている。【選択図】　　　図２
0003098898.tif 000002
【実用新案登録請求の範囲】
【請求項１】
円筒形火消し部（６）に煙草を一本差込んで、酸欠消火させる煙草消火装置付き灰皿（１）であって、前記円筒形火消し部（６）は長手方向に分割された二半割部分（６ａ、６ｂ）から成っており、一方の半割部分（６ｂ）は灰皿本体（３）に固定され、他方の半割部分（６ａ）は前記固定半割部分（６ｂ）に対して係合及び離合するように可動にされ、該可動半割部（６ａ）を前記固定半割部（６ｂ）に対して係合状態に保持する付勢手段（７）が設けられている煙草消火装置付き灰皿において、
前記付勢手段（７）の力に抗して前記可動半割部（６ａ）を前記固定半割部（６ｂ）から離合させるための押しボタン（５）が設けられていることを特徴とする煙草消火装置付き灰皿。
【請求項２】
前記煙草消火装置付き灰皿は蓋（２）を備えており、前記押しボタン（５）は前記蓋（２）を閉止状態に保持するロック手段（８、９）を備えており、それにより、前記押しボタン（５）を押すことによって、前記ロック手段（８、９）が開放され、前記蓋（２）が開かれると同時に、前記円筒形火消し部（６）の前記可動半割部（６ａ）が前記固定半割部（６ｂ）から離合されることを特徴とする請求項１に記載の煙草消火装置付き灰皿。
【請求項３】
前記円筒形火消し部（６）は煙草差込み方向に先細になっていることを特徴とする請求項１又は２に記載の煙草消火装置付き灰皿。
【考案の詳細な説明】
【０００１】
【考案の属する技術分野】
本考案は、煙草を円筒形火消し部に差込むことにより火種を酸欠消火する煙草消火装置付き灰皿に関する。
【０００２】
【考案が解決しようとする課題】
従来は、火のついた煙草の先端の火種を灰皿の底部あるいは縁などに擦り付けて消火していた。又、擦り付ける方法以外の方法では、図６及び図７に示すように、灰皿に付属された円筒形火消し部に煙草を差込み、酸欠消火していた。又、実用新案登録第３０１７９２５号に記載されているように、円筒形火消し部を固定側半筒部と、回動側半筒部とに分割し、回動側半筒部を固定側半筒部に付勢力によって係合させ、円筒形火消し部に差込まれた煙草の火種を円筒形火消し部の先端で煙草本体から分離することによって消火していた。
【０００３】
しかしながら、火種の擦り付けによる消火では、火種を完全に消火し切れない場合がある。又、円筒形火消し部に煙草を差込み、酸欠消火する方法では、火消し部に灰や煙草の葉が詰まりやすい。その結果、火消し部に詰まった灰や煙草の葉によって、煙草の差込みが浅くなり、差込んだ煙草が不安定になり、危険であると共に酸欠消火が十分に出来なくなる問題がある。また、この詰まった灰や煙草の葉を除去するには、灰皿を逆さまにして除去しなければならず、除去しづらいという問題もある。さらに、灰や煙草の葉が詰まった状態のところにさらに煙草を差込むことによって、円筒内部の灰や葉が圧縮され、容易に除去できなくなるという問題もある。又、煙草の火種を円筒形火消し部の先端で煙草本体から分離することによって消火する方法では、分離した火種が燃え尽きるまで、消火されず、消火に時間がかかり、安全性の点で不安がある。
【０００４】
【課題を解決するための手段】
本考案は上記した問題に鑑みてなされたものであり、その目的は、円筒形火消し部への灰や煙草の葉の詰まりをなくし、短時間に確実に煙草の火を消火することが出来る消火装置付き灰皿を提供することである。
【０００５】
本考案による消火装置付き灰皿は、円筒形火消し部に煙草を一本差込んで、酸欠消火させる煙草消火装置付き灰皿であって、前記円筒形火消し部は長手方向に分割された二半割部分から成っており、一方の半割部分は灰皿本体に固定され、他方の半割部分は前記固定半割部分に対して係合及び離合するように可動にされ、該可動半割部を前記固定半割部に対して係合状態に保持する付勢手段が設けられている煙草消火装置付き灰皿において、前記付勢手段の力に抗して前記可動半割部を前記固定半割部から離合させるための押しボタンが設けられていることを特徴とする。
【０００６】
前記灰皿は蓋を有しており、前記押しボタンは前記蓋を閉止状態に保持するロック手段を備えており、それにより、前記押しボタンを押すことによって、前記ロック手段が開放され、前記蓋が開かれると同時に、前記円筒形火消し部の前記可動半割部が前記固定半割部から離合されるようにしてもよい。
【０００７】
又、前記円筒形火消し部は煙草差込み方向に先細になっていることが好ましい。
【０００８】
【考案の実施の形態】
本考案による煙草消火装置付き灰皿を添付図面を参照して説明する。
【０００９】
煙草消火装置付き灰皿１は蓋２と灰皿本体３とから成っており、蓋２は図示しないばね手段、例えば捻じりコイルばねによって開方向に付勢されている。灰皿本体３には、煙草消火装置４が設けられ、煙草消火装置４は円筒形火消し部６を有している。
【００１０】
円筒形火消し部６はその長手方向に分割された二半割部６ａ、６ｂから成っており、一方の半割部６ｂは灰皿本体３に固定され、他方の半割部６ａは固定半割部６ｂに対して係合及び離合するように可動にされている。可動半割部６ａは付勢手段、例えば、引っ張りコイルばね７によって、固定半割部６ｂに常に係合するように付勢されている。
【００１１】
可動半割部６ａには、押しボタン５が接続されている。押しボタン５には、蓋２に設けた係止部８が入り込む開口部９が形成され、これら開口部９と係止部８が蓋２を閉止位置に保持するロック手段を構成している。
【００１２】
煙草を吸おうとする時、押しボタン５を押すと、ロック手段８、９が開放され、蓋２が開かれる。同時に、円筒形火消し部６が開閉され、円筒形火消し部内部の灰や葉が除去される。
【００１３】
喫煙が終わり、煙草の火種を消火しようとする時、煙草の先端を火消し部６内に差込む。これにより、煙草の火種が酸欠消火される。
【００１４】
次に、煙草の吸殻を灰皿本体３内に投入し、蓋２を閉める。この時、蓋２の係止手段８が押しボタン５の開口部９の縁を内方に押す。これにより、円筒形火消し部６が開閉され、円筒形火消し部内部の灰や葉が除去される。すなわち、本実施の形態によれば、蓋２の開閉時に円筒形火消し部６を開閉するので、円筒形火消し部内６に灰や煙草の葉が詰まることが防止される。
【００１５】
又、灰皿使用時においても、押しボタン５を押すことによって円筒形火消し部６を開閉することが出来るので、所望の時に円筒形火消し部６の掃除を行うことが出来る。
【００１６】
円筒形火消し部６は、煙草を確実に保持するため及び煙草の火種の酸欠消火を促進するために、煙草差込み方向に先細となっていることが好ましい。
【００１７】
蓋付き灰皿を例に挙げて本考案による煙草消火装置付き灰皿を説明したが、蓋は必ずしも必要なものではなく、なくてもよい。
【００１８】
【考案の効果】
本考案による煙草消火装置付き灰皿においては、付勢手段の力に抗して火消し部の可動半割部を固定半割部から離合させるための押しボタンが設けられているので、押しボタンを押すことによって、円筒形火消し部を開閉し、円筒形火消し部に灰や葉が溜まることを防止できる。さらに、押しボタンに灰皿の蓋のロック開放機能を併せ持たせた場合には、灰皿使用時に常に円筒形火消し部が開閉されるので、円筒形火消し部に灰や葉が詰まることがなくなり、煙草の火種を確実に短時間に消火することが出来る。
【図面の簡単な説明】
【図１】本考案による煙草消火装置付蓋付き灰皿の斜視図。
【図２】本考案による煙草消火装置付き蓋付き灰皿の蓋を開けた状態の斜視図。
【図３】本考案による煙草消火装置付き蓋付き灰皿の中央断面図。
【図４】本考案による煙草消火装置の中央断面図。
【図５】本考案による煙草消火装置付き蓋付き灰皿の蓋を開けた状態の平面図。
【図６】従来の煙草消火装置を備えた蓋付き灰皿の斜視図。
【図７】従来の煙草消火装置を備えた蓋付き灰皿の中央断面図。
【符号の説明】
１　煙草消火装置付き灰皿
２　蓋
３　灰皿本体
４　煙草消火装置
５　押しボタン
６　円筒形火消し部
６ａ　可動半割部
６ｂ　固定半割部
７　付勢手段
８　係止部
９　開口部
【図１】
0003098898.tif 000003
【図２】
0003098898.tif 000004
【図３】
0003098898.tif 000005
【図４】
0003098898.tif 000006
【図５】
0003098898.tif 000007
【図６】
0003098898.tif 000008
【図７】
0003098898.tif 000009